(57)【要約】  操作割当制御装置（１００）は、ノブオンディスプレイ（６）用のディスプレイ（１）の表示領域（Ａ）内にノブオンディスプレイ（６）用のノブ（３）が配置されており、かつ、ノブ（３）に操作項目が割り当てられている状態にて、当該割り当てられている操作項目に対応する操作用画像の表示位置をノブ（３）の配置位置に追従させる制御を実行する追従制御部（２２）を備える。
2019180774.tif 000002
【特許請求の範囲】
【請求項１】
ノブオンディスプレイ用のディスプレイの表示領域内に前記ノブオンディスプレイ用のノブが配置されており、かつ、前記ノブに操作項目が割り当てられている状態にて、当該割り当てられている操作項目に対応する操作用画像の表示位置を前記ノブの配置位置に追従させる制御を実行する追従制御部を備えることを特徴とする操作割当制御装置。
【請求項２】
前記表示領域内に前記ノブが配置されたとき、前記ノブに操作項目が割り当てられていない状態である場合、前記ノブに操作項目を割り当てる制御を実行する割当制御部を備えることを特徴とする請求項１記載の操作割当制御装置。
【請求項３】
前記割当制御部は、前記表示領域内に１個の操作用画像が表示されている状態にて、当該１個の操作用画像に重畳するように前記ノブが配置されたとき、当該１個の操作用画像に対応する操作項目を前記ノブに割り当てることを特徴とする請求項２記載の操作割当制御装置。
【請求項４】
前記割当制御部は、前記表示領域内に１個の操作用画像が表示されている状態にて、当該１個の操作用画像に重畳しないように前記ノブが配置されたとき、当該１個の操作用画像に対応する操作項目を前記ノブに割り当てることを特徴とする請求項２記載の操作割当制御装置。
【請求項５】
前記割当制御部は、前記表示領域内に複数個の操作用画像が表示されている状態にて、当該複数個の操作用画像のうちのいずれか１個の操作用画像に重畳するように前記ノブが配置されたとき、当該いずれか１個の操作用画像に対応する操作項目を前記ノブに割り当てることを特徴とする請求項２記載の操作割当制御装置。
【請求項６】
前記割当制御部は、前記表示領域内に複数個の操作用画像が表示されている状態にて、当該複数個の操作用画像のうちのいずれか２個以上の操作用画像に重畳するように前記ノブが配置されたとき、当該いずれか２個以上の操作用画像が前記ノブに最後に割り当てられていた操作項目に対応する操作用画像を含むものである場合、前記ノブに最後に割り当てられていた操作項目と同一の操作項目を前記ノブに割り当てることを特徴とする請求項２記載の操作割当制御装置。
【請求項７】
前記割当制御部は、前記表示領域内に複数個の操作用画像が表示されている状態にて、当該複数個の操作用画像のうちのいずれか２個以上の操作用画像に重畳するように前記ノブが配置されたとき、当該いずれか２個以上の操作用画像が前記ノブに最後に割り当てられていた操作項目に対応する操作用画像を含まないものである場合、当該いずれか２個以上の操作用画像のうちの前記ノブに対する重畳面積が最も大きい操作用画像に対応する操作項目を前記ノブに割り当てることを特徴とする請求項２記載の操作割当制御装置。
【請求項８】
前記割当制御部は、前記表示領域内に複数個の操作用画像が表示されている状態にて、当該複数個の操作用画像のうちのいずれの操作用画像にも重畳しないように前記ノブが配置されたとき、前記ノブに最後に割り当てられていた操作項目と同一の操作項目を前記ノブに割り当てることを特徴とする請求項２記載の操作割当制御装置。
【請求項９】
前記表示領域内に前記ノブが配置されており、かつ、前記ノブに操作項目が割り当てられている状態にて、前記ノブによる操作入力がない状態の継続時間が第１基準時間を超えたとき、前記ノブに対する操作項目の割当てを解除する制御を実行する第１解除制御部を備えることを特徴とする請求項１記載の操作割当制御装置。
【請求項１０】
前記表示領域内に前記ノブが配置されており、かつ、前記ノブに操作項目が割り当てられている状態にて、前記ノブによる解除用操作の入力がなされたとき、前記ノブに対する操作項目の割当てを解除する制御を実行する第２解除制御部を備えることを特徴とする請求項１記載の操作割当制御装置。
【請求項１１】
前記表示領域内に前記ノブが配置されており、かつ、前記ノブに操作項目が割り当てられている状態にて、当該割り当てられている操作項目と異なる他の操作項目に対応する操作用画像に前記ノブが重畳している状態になったとき、前記ノブに対する操作項目の割当てを維持する制御を実行する維持制御部を備えることを特徴とする請求項１記載の操作割当制御装置。
【請求項１２】
前記ノブは中空部を有し、
前記表示領域内に前記ノブが配置されており、かつ、前記ノブに操作項目が割り当てられている状態にて、当該割り当てられている操作項目に対応する操作用画像が前記中空部にて視認可能な態様により前記ディスプレイに表示させる制御を実行する表示制御部を備える
ことを特徴とする請求項１記載の操作割当制御装置。
【請求項１３】
前記ノブオンディスプレイは車載用であり、
車両の走行中に運転者の視線が前記車両の進行方向と異なる方向に向けられている状態の継続時間が第２基準時間を超えたとき、前記ノブに対する操作項目の割当てを禁止する制御を実行する禁止制御部を備える
ことを特徴とする請求項１記載の操作割当制御装置。
【請求項１４】
前記ノブオンディスプレイは車載用であり、
車両の走行中に運転者の視線が前記車両の進行方向と異なる方向に向けられている状態の継続時間が第３基準時間を超えたとき、前記ディスプレイにおける操作用画像を非表示にする制御を実行する非表示制御部を備える
ことを特徴とする請求項１記載の操作割当制御装置。
【請求項１５】
前記ノブオンディスプレイは車載用であり、
車両の走行中に運転者の視線が前記車両の進行方向と異なる方向に向けられている状態の継続時間が第４基準時間を超えたとき、前記ノブによる操作入力を無効化する制御を実行する無効化制御部を備える
ことを特徴とする請求項１記載の操作割当制御装置。
【請求項１６】
前記ノブは円筒状であり、
前記ノブの内部に３本以上の導体柱が設けられており、
前記ノブが前記表示領域内に配置されている状態にて、前記３本以上の導体柱が前記ディスプレイと一体型のタッチパネルに対する３個以上のタッチ点として検出されるものである
ことを特徴とする請求項１記載の操作割当制御装置。
【請求項１７】
追従制御部が、ノブオンディスプレイ用のディスプレイの表示領域内に前記ノブオンディスプレイ用のノブが配置されており、かつ、前記ノブに操作項目が割り当てられている状態にて、当該割り当てられている操作項目に対応する操作用画像の表示位置を前記ノブの配置位置に追従させる制御を実行するステップを備えることを特徴とする操作割当制御方法。
【請求項１８】
ノブオンディスプレイ用のディスプレイと、
前記ノブオンディスプレイ用のノブと、
前記ディスプレイの表示領域内に前記ノブが配置されており、かつ、前記ノブに操作項目が割り当てられている状態にて、当該割り当てられている操作項目に対応する操作用画像の表示位置を前記ノブの配置位置に追従させる制御を実行する追従制御部を備える操作割当制御装置と、
を備えることを特徴とする操作入力装置。
【発明の詳細な説明】
【技術分野】
【０００１】
本発明は、操作割当制御装置、操作割当制御方法及び操作入力装置に関する。
【背景技術】
【０００２】
従来、車載情報機器用の操作入力装置に、いわゆる「ノブオンディスプレイ」が用いられている。ノブオンディスプレイは、タッチパネル一体型ディスプレイと、当該ディスプレイの表示領域内、すなわち当該タッチパネルの操作領域内に配置自在なノブ状のコントローラー（以下「ノブ」という。）とを有している。ノブの内部には、当該タッチパネルに対する複数個のタッチ点として検出される複数本の導体柱が設けられている。ノブオンディスプレイは、当該ディスプレイの表示領域内にノブが配置されており、かつ、当該ディスプレイの表示領域内に操作用画像が表示されており、かつ、ノブの配置位置が操作用画像の表示位置に対応している状態にて、ノブの回動又はノブのスライド移動による操作入力を受け付けるものである（例えば、特許文献１参照）。
【先行技術文献】
【特許文献】
【０００３】
【特許文献１】特開２０１３−１７８６７８号公報
【発明の概要】
【発明が解決しようとする課題】
【０００４】
通常、カーナビゲーション装置などの車載情報機器は、車両のセンタークラスターに設けられている。車載情報機器用の従来のノブオンディスプレイにおいては、例えば、表示領域内の助手席側の端部に操作用画像が表示されている場合、表示領域内の助手席側の端部にノブを配置することが求められる。表示領域内の助手席側の端部にノブが配置されている状態においては、運転者がノブを操作するとき、助手席側に体を傾けることが要求される。このような姿勢変化により、運転者の体に負担がかかる問題があった。【０００５】
本発明は、上記のような課題を解決するためになされたものであり、ノブオンディスプレイにおいて、ユーザがノブを操作するときの姿勢変化を抑制することを目的とする。
【課題を解決するための手段】
【０００６】
本発明の操作割当制御装置は、ノブオンディスプレイ用のディスプレイの表示領域内にノブオンディスプレイ用のノブが配置されており、かつ、ノブに操作項目が割り当てられている状態にて、当該割り当てられている操作項目に対応する操作用画像の表示位置をノブの配置位置に追従させる制御を実行する追従制御部を備えるものである。
【発明の効果】
【０００７】
本発明によれば、上記のように構成したので、ノブオンディスプレイにおいて、ユーザがノブを操作するときの姿勢変化を抑制することができる。
【図面の簡単な説明】
【０００８】
【図１】図１Ａは、実施の形態１に係る操作入力装置の要部を示す正面図である。図１Ｂは、実施の形態１に係る操作入力装置の要部を示す底面図である。
【図２】実施の形態１に係る操作入力装置の要部を示すブロック図である。
【図３】図３Ａは、１個の操作用画像が初期位置に表示されている状態を示す説明図である。図３Ｂは、当該１個の操作用画像に重畳するようにノブが配置された状態を示す説明図である。図３Ｃは、ノブに割り当てられている操作項目に対応する操作用画像の表示位置がノブの配置位置に対応している状態を示す説明図である。
【図４】図４Ａは、１個の操作用画像が初期位置に表示されている状態を示す説明図である。図４Ｂは、当該１個の操作用画像に重畳しないようにノブが配置された状態を示す説明図である。図４Ｃは、ノブに割り当てられている操作項目に対応する操作用画像の表示位置がノブの配置位置に対応している状態を示す説明図である。
【図５】図５Ａは、３個の操作用画像が初期位置に表示されている状態を示す説明図である。図５Ｂは、当該３個の操作用画像のうちの１個の操作用画像に重畳するようにノブが配置された状態を示す説明図である。図５Ｃは、ノブに割り当てられている操作項目に対応する操作用画像の表示位置がノブの配置位置に対応している状態を示す説明図である。
【図６】図６Ａは、３個の操作用画像が初期位置に表示されている状態を示す説明図である。図６Ｂは、当該３個の操作用画像のうちの２個の操作用画像に重畳するようにノブが配置された状態を示す説明図である。図６Ｃは、ノブに割り当てられている操作項目に対応する操作用画像の表示位置がノブの配置位置に対応している状態を示す説明図である。
【図７】図７Ａは、３個の操作用画像が初期位置に表示されている状態を示す説明図である。図７Ｂは、当該３個の操作用画像のうちの２個の操作用画像に重畳するようにノブが配置された状態を示す説明図である。図７Ｃは、ノブに割り当てられている操作項目に対応する操作用画像の表示位置がノブの配置位置に対応している状態を示す説明図である。
【図８】図８Ａは、３個の操作用画像が初期位置に表示されている状態を示す説明図である。図８Ｂは、当該３個の操作用画像のうちのいずれの操作用画像にも重畳しないようにノブが配置された状態を示す説明図である。図８Ｃは、ノブに割り当てられている操作項目に対応する操作用画像の表示位置がノブの配置位置に対応している状態を示す説明図である。
【図９】図９Ａは、実施の形態１に係る制御装置のハードウェア構成を示すブロック図である。図９Ｂは、実施の形態１に係る制御装置の他のハードウェア構成を示すブロック図である。
【図１０】実施の形態１に係る操作割当制御装置のうちの割当制御部の動作を示すフローチャートである。
【図１１】実施の形態１に係る操作割当制御装置のうちの追従制御部の動作を示すフローチャートである。
【図１２】図１２Ａは、ノブに割り当てられている操作項目に対応する操作用画像が表示領域内の左端部に表示されており、かつ、ノブが表示領域内の左端部に配置されている状態を示す説明図である。図１２Ｂは、ノブに割り当てられている操作項目に対応する操作用画像が表示領域内の右端部に表示されており、かつ、ノブが表示領域内の右端部に配置されている状態を示す説明図である。
【図１３】図１３Ａは、ノブがディスプレイに取り付けられており、かつ、３個の操作用画像のうちの１個の操作用画像の表示位置がノブの配置位置に対応している状態を示す説明図である。図１３Ｂは、ノブがディスプレイから取り外されたことにより、当該１個の操作用画像の表示位置が初期位置に戻った状態を示す説明図である。図１３Ｃは、ノブがディスプレイに再度取り付けられたことにより、当該１個の操作用画像の表示位置がノブの配置位置に対応する位置に戻った状態を示す説明図である。
【図１４】実施の形態２に係る操作入力装置の要部を示すブロック図である。
【図１５】図１５Ａは、３個の操作用画像のうちの１個の操作用画像に対応する操作項目がノブに割り当てられている状態を示す説明図である。図１５Ｂは、ノブに対する操作項目の割当てが解除された状態を示す説明図である。
【図１６】実施の形態２に係る操作割当制御装置のうちの第１解除制御部の動作を示すフローチャートである。
【図１７】実施の形態３に係る操作入力装置の要部を示すブロック図である。
【図１８】図１８Ａは、解除用操作の一例を示す説明図である。図１８Ｂは、ノブに対する操作項目の割当てが解除された状態を示す説明図である。
【図１９】図１９Ａは、解除用操作の他の例を示す説明図である。図１９Ｂは、ノブに対する操作項目の割当てが解除された状態を示す説明図である。
【図２０】実施の形態３に係る操作割当制御装置のうちの第２解除制御部の動作を示すフローチャートである。
【図２１】実施の形態４に係る操作入力装置の要部を示すブロック図である。
【図２２】図２２Ａは、ノブが他の操作項目に対応する操作用画像に重畳していない状態を示す説明図である。図２２Ｂは、ノブが他の操作項目に対応する操作用画像に重畳している状態を示す説明図である。図２２Ｃは、ノブが他の操作項目に対応する操作用画像に重畳している状態を示す説明図である。
【図２３】実施の形態４に係る操作割当制御装置のうちの維持制御部の動作を示すフローチャートである。
【図２４】実施の形態５に係る操作入力装置の要部を示すブロック図である。
【図２５】実施の形態５に係る操作割当制御装置のうちの禁止制御部の動作を示すフローチャートである。
【図２６】実施の形態６に係る操作入力装置の要部を示すブロック図である。
【図２７】実施の形態６に係る操作割当制御装置のうちの非表示制御部の動作を示すフローチャートである。
【図２８】実施の形態７に係る操作入力装置の要部を示すブロック図である。
【図２９】実施の形態７に係る操作割当制御装置のうちの無効化制御部の動作を示すフローチャートである。
【発明を実施するための形態】
【０００９】
以下、この発明をより詳細に説明するために、この発明を実施するための形態について、添付の図面に従って説明する。
【００１０】
実施の形態１．
図１Ａは、実施の形態１に係る操作入力装置の要部を示す正面図である。図１Ｂは、実施の形態１に係る操作入力装置の要部を示す底面図である。図２は、実施の形態１に係る操作入力装置の要部を示すブロック図である。図１及び図２を参照して、実施の形態１の操作入力装置３００について説明する。
【００１１】
ディスプレイ１は、例えば、ＬＣＤ（Ｌｉｑｕｉｄ  Ｃｒｙｓｔａｌ  Ｄｉｓｐｌａｙ）又はＯＬＥＤ（Ｏｒｇａｎｉｃ  Ｌｉｇｈｔ  Ｅｍｉｔｔｉｎｇ  Ｄｉｏｄｅ）ディスプレイにより構成されている。タッチパネル２は、例えば、ディスプレイ１と一体型の静電容量方式のタッチパネルにより構成されている。
【００１２】
ノブ３は、ディスプレイ１の表示領域（すなわちタッチパネル２の操作領域）Ａ内に配置自在に構成されている。より具体的には、ノブ３は、タッチパネル２と一体型のディスプレイ１に対して着脱自在に構成されており、表示領域Ａ内の任意の位置に配置自在に構成されている。
【００１３】
図１に示す例において、ノブ３は略円筒状であり、中空部４を有している。ノブ３の内部には、３本の導体柱５１〜５３が設けられている。３本の導体柱５１〜５３は、ノブ３が表示領域Ａ内に配置されている状態にて、タッチパネル２に対する３個のタッチ点として検出されるものである。
【００１４】
ディスプレイ１、タッチパネル２及びノブ３により、ノブオンディスプレイ６の要部が構成されている。ディスプレイ１の背面部には、制御基板７が設けられている。制御基板７には、ノブオンディスプレイ６用の制御装置２００が設けられている。以下、制御装置２００について説明する。
【００１５】
表示制御部１１は、Ｎ個の操作用画像Ｉ１〜ＩＮをディスプレイ１の表示領域Ａ内に表示させる制御を実行するものである。ここで、Ｎは１以上の整数である。表示制御部１１は、表示領域Ａにおける個々の操作用画像Ｉ１〜ＩＮの表示位置を示す情報、及び個々の操作用画像Ｉ１〜ＩＮに対応する操作項目を示す情報など（以下、総称して「操作用画像情報」という。）を操作入力制御部１７に出力するものである。Ｎ個の操作用画像Ｉ１〜ＩＮは、例えば、Ｎ個の操作項目Ｉ１’〜ＩＮ’と一対一に対応するものである。
【００１６】
タッチ点検出部１２は、タッチパネル２による出力信号を用いて、タッチパネル２に対するタッチ点を検出するものである。
【００１７】
ノブ有無判定部１３は、３本の導体柱５１〜５３に対応する３個のタッチ点がタッチ点検出部１２による検出結果に含まれているか否かを判定することにより、ノブ３が表示領域Ａ内に配置されているか否かを判定するものである。
【００１８】
ノブ位置判定部１４は、ノブ有無判定部１３によりノブ３が表示領域Ａ内に配置されていると判定された場合、表示領域Ａにおける当該３個のタッチ点の検出位置に基づき、表示領域Ａにおけるノブ３の配置位置を判定するものである。
【００１９】
ノブ動作判定部１５は、ノブ有無判定部１３によりノブ３が表示領域Ａ内に配置されていると判定された場合、表示領域Ａにおける当該３個のタッチ点の検出位置の時間変化に基づき、ノブ３が回動中であるか否かを判定するとともに、ノブ３がスライド移動中であるか否かを判定するものである。ノブ動作判定部１５は、ノブ３が回動中であると判定された場合、ノブ３の回動方向を判定するものである。ノブ動作判定部１５は、ノブ３がスライド移動中であると判定された場合、ノブ３の移動方向を判定するものである。
【００２０】
ノブ有無判定部１３、ノブ位置判定部１４及びノブ動作判定部１５により、ノブ判定部１６が構成されている。ノブ判定部１６は、ノブ３が表示領域Ａ内に配置されているか否かを示す情報、表示領域Ａにおけるノブ３の配置位置を示す情報、ノブ３が回動中であるか否かを示す情報、ノブ３の回動方向を示す情報、ノブ３がスライド移動中であるか否かを示す情報、及びノブ３の移動方向を示す情報など（以下、総称して「ノブ情報」という。）を操作入力制御部１７に出力するものである。
【００２１】
操作入力制御部１７は、操作用画像情報及びノブ情報などを用いて、ノブ３による操作入力を受け付ける制御を実行するものである。すなわち、操作入力制御部１７は、ノブ３が表示領域Ａ内に配置されており、かつ、ノブ３に操作項目ＩＸ’が割り当てられており、かつ、当該割り当てられている操作項目ＩＸ’に対応する操作用画像ＩＸが表示領域Ａ内に表示されており、かつ、表示領域Ａにおけるノブ３の配置位置が表示領域Ａにおける操作用画像ＩＸの表示位置に対応している状態にて、ノブ３の回動又はノブ３のスライド移動による操作入力を受け付ける制御を実行するものである。ここで、Ｘは１以上かつＮ以下の整数である。
【００２２】
具体的には、例えば、ノブ３が表示領域Ａ内に配置されており、かつ、１個の操作用画像Ｉ１が表示領域Ａ内に表示されており、かつ、当該１個の操作用画像Ｉ１に対応する操作項目Ｉ１’がノブ３に割り当てられており、かつ、表示領域Ａにおけるノブ３の配置位置が表示領域Ａにおける操作用画像Ｉ１の表示位置に対応しているものとする。この場合、操作入力制御部１７は、操作項目Ｉ１’に係る操作入力を受け付ける制御を実行する。
【００２３】
また、例えば、ノブ３が表示領域Ａ内に配置されており、かつ、３個の操作用画像Ｉ１〜Ｉ３が表示領域Ａ内に表示されており、かつ、当該３個の操作用画像Ｉ１〜Ｉ３のうちの１個の操作用画像Ｉ１に対応する操作項目Ｉ１’がノブ３に割り当てられており、かつ、表示領域Ａにおけるノブ３の配置位置が表示領域Ａにおける操作用画像Ｉ１の表示位置に対応しているものとする。この場合、操作入力制御部１７は、操作項目Ｉ１’に係る操作入力を受け付ける制御を実行する。
【００２４】
なお、図１に示す例において、操作用画像Ｉ１は、車載用のオーディオシステム（不図示）における音量を変化させる操作項目Ｉ１’に対応している。操作用画像Ｉ２は、車載用の空調システム（不図示）における設定温度を変化させる操作項目Ｉ２’に対応している。操作用画像Ｉ３は、車載用のナビゲーションシステム（不図示）における地図画像の縮尺を変化させる操作項目Ｉ３’に対応している。
【００２５】
表示制御部１１は、操作入力制御部１７により受け付けられた操作入力に応じて、操作用画像ＩＸを変化させるようになっている。具体的には、例えば、表示制御部１１は、操作用画像ＩＸ内の数値（すなわち音量、設定温度又は縮尺などを示す数値）を変化させるようになっている。
【００２６】
ここで、表示制御部１１は、操作用画像情報を操作割当制御装置１００に出力するようになっている。ノブ判定部１６は、ノブ情報を操作割当制御装置１００に出力するようになっている。操作割当制御装置１００は、操作用画像情報及びノブ情報などを用いて、以下の制御を実行するものである。
【００２７】
割当制御部２１は、ノブ３が表示領域Ａ内に配置されたとき、ノブ３に操作項目が割り当てられていない状態である場合、ノブ３に操作項目を割り当てる制御を実行するものである。
【００２８】
より具体的には、割当制御部２１は、表示領域Ａ内に１個の操作用画像が表示されている状態にて、当該１個の操作用画像に重畳するようにノブ３が配置されたとき、当該１個の操作用画像に対応する操作項目をノブ３に割り当てる。
【００２９】
また、割当制御部２１は、表示領域Ａ内に１個の操作用画像が表示されている状態にて、当該１個の操作用画像に重畳しないようにノブ３が配置されたとき、当該１個の操作用画像に対応する操作項目をノブ３に割り当てる。
【００３０】
また、割当制御部２１は、表示領域Ａ内に複数個の操作用画像が表示されている状態にて、当該複数個の操作用画像のうちのいずれか１個の操作用画像に重畳するようにノブ３が配置されたとき、当該いずれか１個の操作用画像に対応する操作項目をノブ３に割り当てる。
【００３１】
また、割当制御部２１は、表示領域Ａ内に複数個の操作用画像が表示されている状態にて、当該複数個の操作用画像のうちのいずれか２個以上の操作用画像に重畳するようにノブ３が配置されたとき、当該いずれか２個以上の操作用画像がノブ３に最後に割り当てられていた操作項目に対応する操作用画像を含むものである場合、ノブ３に最後に割り当てられていた操作項目と同一の操作項目をノブ３に割り当てる。
【００３２】
また、割当制御部２１は、表示領域Ａ内に複数個の操作用画像が表示されている状態にて、当該複数個の操作用画像のうちのいずれか２個以上の操作用画像に重畳するようにノブ３が配置されたとき、当該いずれか２個以上の操作用画像がノブ３に最後に割り当てられていた操作項目に対応する操作用画像を含まないものである場合、当該いずれか２個以上の操作用画像のうちのノブ３に対する重畳面積が最も大きい操作用画像に対応する操作項目をノブ３に割り当てる。
【００３３】
また、割当制御部２１は、表示領域Ａ内に複数個の操作用画像が表示されている状態にて、当該複数個の操作用画像のうちのいずれの操作用画像にも重畳しないようにノブ３が配置されたとき、ノブ３に最後に割り当てられていた操作項目と同一の操作項目をノブ３に割り当てる。
【００３４】
ノブ３に対する操作項目の割当ては、所定の条件（以下「解除条件」という。）が満たされるまで維持されるようになっている。換言すれば、ノブ３に対する操作項目の割当ては、解除条件が満たされたときに解除されるようになっている。
【００３５】
具体的には、例えば、ノブ３に対する操作項目の割当ては、ノブ３がディスプレイ１から取り外されるまで維持される。換言すれば、ノブ３がディスプレイ１から取り外されたとき、ノブ３に対する操作項目の割当てが解除される。この場合、上記具体例における「最後に割り当てられていた操作項目」とは、ノブ３がディスプレイ１から取り外されて、次いで、ノブ３がディスプレイ１に取り付けられることによりノブ３が表示領域Ａ内に配置されたとき、ノブ３がディスプレイ１から取り外される直前にノブ３に割り当てられていた操作項目のことである。
【００３６】
操作割当制御装置１００は、ノブ３に操作項目が割り当てられたとき、当該割り当てられた操作項目を示す情報を表示制御部１１及び操作入力制御部１７に出力する。操作割当制御装置１００は、ノブ３に対する操作項目の割当てが解除されたとき、その旨を示す情報を表示制御部１１及び操作入力制御部１７に出力する。
【００３７】
追従制御部２２は、ノブ３が表示領域Ａ内に配置されており、かつ、ノブ３に操作項目が割り当てられている状態にて、当該割り当てられている操作項目に対応する操作用画像の表示位置をノブ３の配置位置に追従させる制御を実行するものである。すなわち、追従制御部２２は、当該割り当てられている操作項目に対応する操作用画像の表示位置をノブ３の配置位置に追従させるように表示制御部１１に指示するものである。
【００３８】
具体的には、例えば、表示領域Ａ内に１個の操作用画像Ｉ１が表示されている状態にて（図３Ａ参照）、当該１個の操作用画像Ｉ１に重畳するようにノブ３が配置されたとき（図３Ｂ参照）、割当制御部２１は、当該１個の操作用画像Ｉ１に対応する操作項目Ｉ１’をノブ３に割り当てる。これにより、操作項目Ｉ１’がノブ３に割り当てられている状態となる。この状態にて、追従制御部２２が操作用画像Ｉ１の表示位置をノブ３の配置位置に追従させる制御を実行することにより、操作用画像Ｉ１の表示位置がノブ３の配置位置に対応している状態となる（図３Ｃ参照）。この結果、操作入力制御部１７において操作項目Ｉ１’に係る操作入力が有効化された状態となる。図中、Ｄ１は、追従制御部２２の追従制御による操作用画像Ｉ１の移動方向を示している。
【００３９】
また、例えば、表示領域Ａ内に１個の操作用画像Ｉ１が表示されている状態にて（図４Ａ参照）、当該１個の操作用画像Ｉ１に重畳しないようにノブ３が配置されたとき（図４Ｂ参照）、割当制御部２１は、当該１個の操作用画像Ｉ１に対応する操作項目Ｉ１’をノブ３に割り当てる。これにより、操作項目Ｉ１’がノブ３に割り当てられている状態となる。この状態にて、追従制御部２２が操作用画像Ｉ１の表示位置をノブ３の配置位置に追従させる制御を実行することにより、操作用画像Ｉ１の表示位置がノブ３の配置位置に対応している状態となる（図４Ｃ参照）。この結果、操作入力制御部１７において操作項目Ｉ１’に係る操作入力が有効化された状態となる。図中、Ｄ２は、追従制御部２２の追従制御による操作用画像Ｉ１の移動方向を示している。
【００４０】
また、例えば、表示領域Ａ内に３個の操作用画像Ｉ１〜Ｉ３が表示されている状態にて（図５Ａ参照）、当該３個の操作用画像Ｉ１〜Ｉ３のうちの１個の操作用画像Ｉ１に重畳するようにノブ３が配置されたとき（図５Ｂ参照）、割当制御部２１は、当該１個の操作用画像Ｉ１に対応する操作項目Ｉ１’をノブ３に割り当てる。これにより、操作項目Ｉ１’がノブ３に割り当てられている状態となる。この状態にて、追従制御部２２が操作用画像Ｉ１の表示位置をノブ３の配置位置に追従させる制御を実行することにより、操作用画像Ｉ１の表示位置がノブ３の配置位置に対応している状態となる（図５Ｃ参照）。この結果、操作入力制御部１７において操作項目Ｉ１’に係る操作入力が有効化された状態となる。図中、Ｄ３は、追従制御部２２の追従制御による操作用画像Ｉ１の移動方向を示している。
【００４１】
また、例えば、ノブ３に最後に割り当てられていた操作項目がＩ１’であるものとする。表示領域Ａ内に３個の操作用画像Ｉ１〜Ｉ３が表示されている状態にて（図６Ａ参照）、当該３個の操作用画像Ｉ１〜Ｉ３のうちの２個の操作用画像Ｉ１，Ｉ２に重畳するようにノブ３が配置されたとき（図６Ｂ参照）、当該２個の操作用画像Ｉ１，Ｉ２が操作項目Ｉ１’に対応する操作用画像Ｉ１を含むものであるため、割当制御部２１は、ノブ３に最後に割り当てられていた操作項目Ｉ１’と同一の操作項目Ｉ１’をノブ３に割り当てる。これにより、操作項目Ｉ１’がノブ３に割り当てられている状態となる。この状態にて、追従制御部２２が操作用画像Ｉ１の表示位置をノブ３の配置位置に追従させる制御を実行することにより、操作用画像Ｉ１の表示位置がノブ３の配置位置に対応している状態となる（図６Ｃ参照）。この結果、操作入力制御部１７において操作項目Ｉ１’に係る操作入力が有効化された状態となる。図中、Ｄ４は、追従制御部２２の追従制御による操作用画像Ｉ１の移動方向を示している。
【００４２】
また、例えば、ノブ３に最後に割り当てられていた操作項目がＩ１’であるものとする。表示領域Ａ内に３個の操作用画像Ｉ１〜Ｉ３が表示されている状態にて（図７Ａ参照）、当該３個の操作用画像Ｉ１〜Ｉ３のうちの２個の操作用画像Ｉ２，Ｉ３に重畳するようにノブ３が配置されたとき（図７Ｂ参照）、当該２個の操作用画像Ｉ２，Ｉ３が操作項目Ｉ１’に対応する操作用画像Ｉ１を含まないものであるため、割当制御部２１は、当該２個の操作用画像Ｉ２，Ｉ３のうちのノブ３に対する重畳面積が最も大きい操作用画像Ｉ２に対応する操作項目Ｉ２’をノブ３に割り当てる。これにより、操作項目Ｉ２’がノブ３に割り当てられている状態となる。この状態にて、追従制御部２２が操作用画像Ｉ２の表示位置をノブ３の配置位置に追従させる制御を実行することにより、操作用画像Ｉ２の表示位置がノブ３の配置位置に対応している状態となる（図７Ｃ参照）。この結果、操作入力制御部１７において操作項目Ｉ２’に係る操作入力が有効化された状態となる。図中、Ｄ５は、追従制御部２２の追従制御による操作用画像Ｉ２の移動方向を示している。
【００４３】
また、例えば、ノブ３に最後に割り当てられていた操作項目がＩ１’であるものとする。表示領域Ａ内に３個の操作用画像Ｉ１〜Ｉ３が表示されている状態にて（図８Ａ参照）、当該３個の操作用画像Ｉ１〜Ｉ３のうちのいずれの操作用画像Ｉ１〜Ｉ３にも重畳しないようにノブ３が配置されたとき（図８Ｂ参照）、割当制御部２１は、ノブ３に最後に割り当てられていた操作項目Ｉ１’と同一の操作項目Ｉ１’をノブ３に割り当てる。これにより、操作項目Ｉ１’がノブ３に割り当てられている状態となる。この状態にて、追従制御部２２が操作用画像Ｉ１の表示位置をノブ３の配置位置に追従させる制御を実行することにより、操作用画像Ｉ１の表示位置がノブ３の配置位置に対応している状態となる（図８Ｃ参照）。この結果、操作入力制御部１７において操作項目Ｉ１’に係る操作入力が有効化された状態となる。図中、Ｄ６は、追従制御部２２の追従制御による操作用画像Ｉ１の移動方向を示している。
【００４４】
なお、表示制御部１１は、ノブ３に割り当てられている操作項目ＩＸ’に対応する操作用画像ＩＸを、ノブ３の中空部４にて視認可能な態様によりディスプレイ１に表示させるようになっている。具体的には、例えば、表示制御部１１は、図３Ｃ、図４Ｃ、図５Ｃ、図６Ｃ、図７Ｃ及び図８Ｃに示す如く、操作用画像ＩＸ内の数値（すなわち音量、設定温度又は縮尺などを示す数値）が中空部４内に配置されるように、操作用画像ＩＸをディスプレイ１に表示させる。
【００４５】
また、表示制御部１１は、ノブ３に対する操作項目ＩＸ’の割当てが解除されたとき、操作用画像ＩＸの表示位置をデフォルトの位置（以下「初期位置」という。）に戻すようになっている。図３Ａ及び図４Ａは、１個の操作用画像Ｉ１が初期位置に表示されている状態を示している。図５Ａ、図６Ａ、図７Ａ及び図８Ａは、３個の操作用画像Ｉ１〜Ｉ３が初期位置に表示されている状態を示している。
【００４６】
割当制御部２１及び追従制御部２２により、操作割当制御装置１００の要部が構成されている。表示制御部１１、タッチ点検出部１２、ノブ判定部１６、操作入力制御部１７及び操作割当制御装置１００により、制御装置２００の要部が構成されている。ノブオンディスプレイ６、制御基板７及び制御装置２００により、操作入力装置３００の要部が構成されている。なお、図２において制御基板７は図示を省略している。
【００４７】
次に、図９を参照して、制御装置２００の要部のハードウェア構成について説明する。
【００４８】
図９Ａに示す如く、制御装置２００はコンピュータにより構成されており、当該コンピュータはプロセッサ３１及びメモリ３２を有している。メモリ３２には、当該コンピュータを表示制御部１１、タッチ点検出部１２、ノブ有無判定部１３、ノブ位置判定部１４、ノブ動作判定部１５、操作入力制御部１７、割当制御部２１及び追従制御部２２として機能させるためのプログラムが記憶されている。メモリ３２に記憶されているプログラムをプロセッサ３１が読み出して実行することにより、表示制御部１１、タッチ点検出部１２、ノブ有無判定部１３、ノブ位置判定部１４、ノブ動作判定部１５、操作入力制御部１７、割当制御部２１及び追従制御部２２の機能が実現される。
【００４９】
プロセッサ３１は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、マイクロプロセッサ、マイクロコントローラ又はＤＳＰ（Ｄｉｇｉｔａｌ  Ｓｉｇｎａｌ  Ｐｒｏｃｅｓｓｏｒ）などを用いたものである。メモリ３２は、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）若しくはＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）などの半導体メモリ、ＳＳＤ（Ｓｏｌｉｄ  Ｓｔａｔｅ  Ｄｒｉｖｅ）又はＨＤＤ（Ｈａｒｄ  Ｄｉｓｋ  Ｄｒｉｖｅ）などを用いたものである。
【００５０】
または、図９Ｂに示す如く、表示制御部１１、タッチ点検出部１２、ノブ有無判定部１３、ノブ位置判定部１４、ノブ動作判定部１５、操作入力制御部１７、割当制御部２１及び追従制御部２２の機能が処理回路３３により実現されるものであっても良い。処理回路３３は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、ＳｏＣ（Ｓｙｓｔｅｍ−ｏｎ−ａ−Ｃｈｉｐ）又はシステムＬＳＩ（Ｌａｒｇｅ−Ｓｃａｌｅ  Ｉｎｔｅｇｒａｔｉｏｎ）などを用いたものである。
【００５１】
または、制御装置２００は、プロセッサ３１、メモリ３２及び処理回路３３により構成されているものであっても良い。この場合、表示制御部１１、タッチ点検出部１２、ノブ有無判定部１３、ノブ位置判定部１４、ノブ動作判定部１５、操作入力制御部１７、割当制御部２１及び追従制御部２２の機能のうちの一部の機能がプロセッサ３１及びメモリ３２により実現されて、残余の機能が処理回路３３により実現されるものであっても良い。
【００５２】
図１０は、割当制御部２１の動作を示すフローチャートである。図１０に示す如く、割当制御部２１は、ノブ３が表示領域Ａ内に配置されたとき（ステップＳＴ１“ＹＥＳ”）、ノブ３に操作項目が割り当てられていない状態である場合（ステップＳＴ２“ＮＯ”）、ノブ３に操作項目を割り当てる制御を実行する（ステップＳＴ３）。
【００５３】
図１１は、追従制御部２２の動作を示すフローチャートである。図１１に示す如く、追従制御部２２は、ノブ３が表示領域Ａ内に配置されており（ステップＳＴ１１“ＹＥＳ”）、かつ、ノブ３に操作項目が割り当てられている状態にて（ステップＳＴ１２“ＹＥＳ”）、当該割り当てられている操作項目に対応する操作用画像の表示位置をノブ３の配置位置に追従させる制御を実行する（ステップＳＴ１３）。
【００５４】
次に、実施の形態１の操作入力装置３００による作用効果について、三つ説明する。
【００５５】
第一に、ユーザがノブ３を操作するときの姿勢変化を抑制することができる。例えば、図１２Ａに示す如く、いわゆる「右ハンドル車両」のセンタークラスターに操作入力装置３００が設けられており、かつ、操作用画像Ｉ１が表示領域Ａ内の左端部（すなわち助手席側の端部）に表示されており、かつ、ノブ３が表示領域Ａ内の左端部（すなわち助手席側の端部）に配置されている。図１２Ａに示す状態において、運転者がノブ３を操作するときは、助手席側に体を傾けることが要求される。このような姿勢変化により、運転者の体に負担がかかる。
【００５６】
これに対して、図１２Ｂに示す如く、運転者がノブ３を表示領域Ａ内の左端部から右端部に移動させることにより、ノブ３が表示領域Ａ内の右端部（すなわち運転席側の端部）に配置されている状態となる。このとき、追従制御部２２の追従制御により、操作用画像Ｉ１も表示領域Ａ内の右端部（すなわち運転席側の端部）に表示されている状態となる。図１２Ｂに示す状態は、図１２Ａに示す状態に比して、ノブ３が運転席の近くに配置されている。このため、運転者がノブ３を操作するときに要求される姿勢変化を小さくすることができる。
【００５７】
図中、Ｌ１は、ノブ３の移動による、表示領域Ａにおけるノブ３の中心部に対応する点の軌跡を示している。また、Ｌ１は、追従制御部２２の追従制御による、表示領域Ａにおける操作用画像Ｉ１の中心部に対応する点の軌跡を示している。
【００５８】
第二に、ノブ３の配置位置に応じて任意の操作項目をノブ３に割り当てることができる。すなわち、ノブ３が表示領域Ａ内に配置されたとき、図３〜図８を参照して説明したように、割当制御部２１がノブ３に操作項目を割り当てる制御を実行する。これにより、ノブ３の配置位置に応じて任意の操作項目をノブ３に割り当てることができる。
【００５９】
第三に、ユーザがノブ３を操作しているとき、ユーザの意に反してノブ３がディスプレイ１から取り外された場合であっても、ノブ３をディスプレイ１に再度取り付けることにより、ノブ３がディスプレイ１から取り外される直前の操作項目と同一の操作項目に係る操作入力が可能となる。
【００６０】
例えば、図１３Ａに示す如く、ノブ３がディスプレイ１に取り付けられており、ノブ３に操作項目Ｉ１’が割り当てられており、ノブ３の配置位置が操作用画像Ｉ１の表示位置に対応している。図１３Ａに示す状態においては、操作項目Ｉ１’に係る操作入力が有効化されている。これに対して、図１３Ｂに示す如く、ユーザの意に反してノブ３がディスプレイ１から取り外されたものとする。これにより、ノブ３に対する操作項目Ｉ１’の割当てが解除されて、操作用画像Ｉ１の表示位置が初期位置に戻る。この結果、操作項目Ｉ１’に係る操作入力が無効化された状態となる。
【００６１】
しかしながら、図１３Ｃに示す如く、ノブ３をディスプレイ１に再度取り付けることにより、割当制御部２１が操作項目Ｉ１’をノブ３に割り当てる。追従制御部２２の追従制御により、操作用画像Ｉ１の表示位置がノブ３の配置位置に対応している状態となる。この結果、操作項目Ｉ１’に係る操作入力が有効化された状態となる。
【００６２】
図中、Ｄ７及びＤ９は、ディスプレイ１に対するノブ３の着脱方向を示している。また、Ｄ８は、ノブ３がディスプレイ１から取り外されたときの操作用画像Ｉ１の移動方向を示している。また、Ｄ１０は、ノブ３がディスプレイ１に再度取り付けられたときの操作用画像Ｉ１の移動方向を示している。
【００６３】
なお、ノブ３は複数本の導体柱を有するものであれば良く、導体柱の本数は３本に限定されるものではない。ただし、ノブ位置判定部１４及びノブ動作判定部１５による判定精度を向上する観点から、３本以上の導体柱を用いるのが好適である。
【００６４】
また、ノブ３の形状は略円筒状に限定されるものではなく、ノブ３は如何なる形状によるものであっても良い。例えば、ノブ３は中空部４を有しないものであっても良い。すなわち、ノブ３は略円柱状であっても良い。
【００６５】
また、個々の操作用画像は数値を含む円形状の画像に限定されるものではなく、個々の操作用画像は如何なる画像によるものであっても良い。例えば、個々の操作用画像は、ダイヤル用の目盛状の画像又はスライダー用の目盛状の画像であっても良い。ダイヤル用の目盛状の画像は、ノブ３の回動による操作入力に対応したものである。この場合、ノブ３はダイヤルの機能を果たすものとなる。他方、スライダー用の目盛状の画像は、ノブ３のスライド移動による操作入力に対応したものである。この場合、ノブ３はスライダーの機能を果たすものとなる。
【００６６】
ここで、ノブ３が中空部４を有しない形状である場合、表示制御部１１は、ノブ３に割り当てられている操作項目ＩＸ’に対応する操作用画像ＩＸを、ノブ３の周囲にて視認可能な態様によりディスプレイ１に表示させるのが好適である。例えば、ノブ３が略円柱状であり、かつ、操作用画像ＩＸがダイヤル状の目盛を含む画像である場合、表示制御部１１は、操作用画像ＩＸの直径をノブ３の直径よりも大きい値に設定して、当該目盛がノブ３の周囲に表示されるようにするものであっても良い。
【００６７】
また、割当制御部２１は、制御装置２００内にて操作割当制御装置１００外に設けられているものであっても良い。すなわち、追従制御部２２により操作割当制御装置１００の要部が構成されているものであっても良い。
【００６８】
また、表示制御部１１は、操作割当制御装置１００内に設けられているものであっても良い。すなわち、追従制御部２２及び表示制御部１１により操作割当制御装置１００の要部が構成されているものであっても良い。または、追従制御部２２、割当制御部２１及び表示制御部１１により操作割当制御装置１００の要部が構成されているものであっても良い。
【００６９】
また、操作入力装置３００が用いられる情報機器は、車載情報機器に限定されるものではない。操作入力装置３００は、例えば、民生用又は業務用などの如何なる情報機器にも用いることができる。
【００７０】
また、本願の請求の範囲に記載された「円筒状」の用語の意義は、完全な円筒状はもちろんのこと、略円筒状も包含するものである。
【００７１】
以上のように、実施の形態１の操作割当制御装置１００は、ノブオンディスプレイ６用のディスプレイ１の表示領域Ａ内にノブオンディスプレイ６用のノブ３が配置されており、かつ、ノブ３に操作項目が割り当てられている状態にて、当該割り当てられている操作項目に対応する操作用画像の表示位置をノブ３の配置位置に追従させる制御を実行する追従制御部２２を備える。これにより、ユーザがノブ３を操作するときの姿勢変化を抑制することができる。
【００７２】
また、操作割当制御装置１００は、表示領域Ａ内にノブ３が配置されたとき、ノブ３に操作項目が割り当てられていない状態である場合、ノブ３に操作項目を割り当てる制御を実行する割当制御部２１を備える。これにより、ノブ３の配置位置に応じて任意の操作項目をノブ３に割り当てることができる。また、ユーザがノブ３を操作しているとき、ユーザの意に反してノブ３がディスプレイ１から取り外された場合であっても、ノブ３をディスプレイ１に再度取り付けることにより、ノブ３がディスプレイ１から取り外される直前の操作項目と同一の操作項目に係る操作入力が可能となる。
【００７３】
また、ノブ３は中空部４を有し、操作割当制御装置１００は、表示領域Ａ内にノブ３が配置されており、かつ、ノブ３に操作項目が割り当てられている状態にて、当該割り当てられている操作項目に対応する操作用画像が中空部４にて視認可能な態様によりディスプレイ１に表示させる制御を実行する表示制御部１１を備える。これにより、中空部４を有するノブ３に適した操作用画像の表示を実現することができる。
【００７４】
また、ノブ３は円筒状であり、ノブ３の内部に３本以上の導体柱が設けられており、ノブ３が表示領域Ａ内に配置されている状態にて、３本以上の導体柱がディスプレイ１と一体型のタッチパネル２に対する３個以上のタッチ点として検出されるものである。ノブ３が略円筒状である場合、３本以上の導体柱を用いることにより、ノブ位置判定部１４及びノブ動作判定部１５による判定精度を向上することができる。
【００７５】
また、実施の形態１の操作割当制御方法は、追従制御部２２が、ノブオンディスプレイ６用のディスプレイ１の表示領域Ａ内にノブオンディスプレイ６用のノブ３が配置されており、かつ、ノブ３に操作項目が割り当てられている状態にて、当該割り当てられている操作項目に対応する操作用画像の表示位置をノブ３の配置位置に追従させる制御を実行するステップＳＴ１３を備える。これにより、操作割当制御装置１００による上記効果と同様の効果を得ることができる。
【００７６】
また、実施の形態１の操作入力装置３００は、ノブオンディスプレイ６用のディスプレイ１と、ノブオンディスプレイ６用のノブ３と、ディスプレイ１の表示領域Ａ内にノブ３が配置されており、かつ、ノブ３に操作項目が割り当てられている状態にて、当該割り当てられている操作項目に対応する操作用画像の表示位置をノブ３の配置位置に追従させる制御を実行する追従制御部２２を備える操作割当制御装置１００と、を備える。これにより、操作割当制御装置１００による上記効果と同様の効果を得ることができる。
【００７７】
実施の形態２．
図１４は、実施の形態２に係る操作入力装置の要部を示すブロック図である。図１４を参照して、実施の形態２の操作入力装置３００ａについて説明する。なお、図１４において、図２におけるブロックと同様のブロックには同一符号を付して説明を省略する。
【００７８】
実施の形態１にて説明したように、ノブ３に対する操作項目の割当ては、所定の解除条件が満たされたときに解除されるようになっている。具体的には、例えば、ノブ３がディスプレイ１から取り外されたとき、ノブ３に対する操作項目の割当てが解除される。
【００７９】
これに加えて、第１解除制御部２３は、表示領域Ａ内にノブ３が配置されており、かつ、ノブ３に操作項目が割り当てられている状態にて、ノブ３による操作入力がない状態の継続時間を算出するものである。第１解除制御部２３は、当該算出された継続時間が所定時間（以下「第１基準時間」という。）を超えたとき、ノブ３に対する操作項目の割当てを解除する制御を実行するものである。第１基準時間は、例えば、数秒〜数分程度の値に設定されている。
【００８０】
例えば、表示領域Ａ内にノブ３が配置されており、かつ、ノブ３に操作項目Ｉ１’が割り当てられている状態にて（図１５Ａ参照）、ノブ３による操作入力がない状態の継続時間が第１基準時間を超えたものとする。この場合、第１解除制御部２３は、ノブ３に対する操作項目Ｉ１’の割当てを解除する。これにより、操作用画像Ｉ１の表示位置が初期位置に戻る（図１５Ｂ参照）。この結果、操作用画像Ｉ１の表示位置がノブ３の配置位置に対応していない状態となるため、操作入力制御部１７において操作項目Ｉ１’に係る操作入力が無効化された状態となる。図中、Ｄ１１は操作用画像Ｉ１の移動方向を示している。
【００８１】
これにより、例えば、ユーザによる操作項目Ｉ１’に係る操作入力が終了した後、当該ユーザの意に反して当該ユーザの手などがノブ３に接触したとき、当該ユーザの意に反した操作入力がなされるのを抑制することができる。また、例えば、ユーザによる操作項目Ｉ１’に係る操作入力が終了した後、他のユーザの意に反して当該他のユーザの手などがノブ３に接触したとき、当該他のユーザの意に反した操作入力がなされるのを抑制することができる。
【００８２】
割当制御部２１、追従制御部２２及び第１解除制御部２３により、操作割当制御装置１００ａの要部が構成されている。表示制御部１１、タッチ点検出部１２、ノブ判定部１６、操作入力制御部１７及び操作割当制御装置１００ａにより、制御装置２００ａの要部が構成されている。ノブオンディスプレイ６、制御基板７及び制御装置２００ａにより、操作入力装置３００ａの要部が構成されている。なお、図１４において制御基板７は図示を省略している。
【００８３】
制御装置２００ａの要部のハードウェア構成は、実施の形態１にて図９を参照して説明したものと同様であるため、図示及び説明を省略する。すなわち、表示制御部１１、タッチ点検出部１２、ノブ判定部１６、操作入力制御部１７、割当制御部２１、追従制御部２２及び第１解除制御部２３の各々の機能は、プロセッサ３１及びメモリ３２により実現されるものであっても良く、又は処理回路３３により実現されるものであっても良い。
【００８４】
図１６のフローチャートは、第１解除制御部２３の動作を示している。図１６に示す如く、第１解除制御部２３は、表示領域Ａ内にノブ３が配置されており（ステップＳＴ２１“ＹＥＳ”）、かつ、ノブ３に操作項目が割り当てられている状態にて（ステップＳＴ２２“ＹＥＳ”）、ノブ３による操作入力がない状態の継続時間が第１基準時間を超えたとき（ステップＳＴ２３“ＹＥＳ”）、ノブ３に対する操作項目の割当てを解除する制御を実行する（ステップＳＴ２４）。
【００８５】
なお、第１基準時間は、ユーザにより設定自在なものであっても良い。
【００８６】
また、操作入力装置３００ａは、実施の形態１にて説明したものと同様の種々の変形例を採用することができる。例えば、割当制御部２１は、制御装置２００ａ内にて操作割当制御装置１００ａ外に設けられているものであっても良い。また、例えば、表示制御部１１は、操作割当制御装置１００ａ内に設けられているものであっても良い。
【００８７】
以上のように、実施の形態２の操作割当制御装置１００ａは、表示領域Ａ内にノブ３が配置されており、かつ、ノブ３に操作項目が割り当てられている状態にて、ノブ３による操作入力がない状態の継続時間が第１基準時間を超えたとき、ノブ３に対する操作項目の割当てを解除する制御を実行する第１解除制御部２３を備える。これにより、例えば、ユーザによる操作入力が終了した後、当該ユーザの意に反して当該ユーザの手などがノブ３に接触したとき、当該ユーザの意に反した操作入力がなされるのを抑制することができる。
【００８８】
実施の形態３．
図１７は、実施の形態３に係る操作入力装置の要部を示すブロック図である。図１７を参照して、実施の形態３の操作入力装置３００ｂについて説明する。なお、図１７において、図２におけるブロックと同様のブロックには同一符号を付して説明を省略する。
【００８９】
実施の形態１にて説明したように、ノブ３に対する操作項目の割当ては、所定の解除条件が満たされたときに解除されるようになっている。具体的には、例えば、ノブ３がディスプレイ１から取り外されたとき、ノブ３に対する操作項目の割当てが解除される。
【００９０】
これに加えて、第２解除制御部２４は、表示領域Ａ内にノブ３が配置されており、かつ、ノブ３に操作項目が割り当てられている状態にて、ノブ３による所定の操作（以下「解除用操作」という。）の入力がなされたとき、ノブ３に対する操作項目の割当てを解除する制御を実行するものである。
【００９１】
具体的には、例えば、ノブ３を左右に振る操作が解除用操作に設定されている。この場合、表示領域Ａ内にノブ３が配置されており、かつ、ノブ３に操作項目Ｉ１’が割り当てられている状態にて、ノブ３を左右に振る操作の入力を操作入力制御部１７が受け付けたとき（図１８Ａ参照）、第２解除制御部２４は、ノブ３に対する操作項目Ｉ１’の割当てを解除する（図１８Ｂ参照）。図中、Ｄ１２は、解除用操作によるノブ３の移動方向を示している。また、Ｄ１３は、操作項目Ｉ１’の割当てが解除されたことによる操作用画像Ｉ１の移動方向を示している。
【００９２】
または、例えば、ノブ３を上下に振る操作が解除用操作に設定されている。この場合、表示領域Ａ内にノブ３が配置されており、かつ、ノブ３に操作項目Ｉ１’が割り当てられている状態にて、ノブ３を上下に振る操作の入力を操作入力制御部１７が受け付けたとき（図１９Ａ参照）、第２解除制御部２４は、ノブ３に対する操作項目Ｉ１’の割当てを解除する（図１９Ｂ参照）。図中、Ｄ１４は、解除用操作によるノブ３の移動方向を示している。また、Ｄ１５は、操作項目Ｉ１’の割当てが解除されたことによる操作用画像Ｉ１の移動方向を示している。
【００９３】
これにより、ユーザは任意のタイミングにてノブ３に対する操作項目Ｉ１’の割当てを解除することができる。
【００９４】
割当制御部２１、追従制御部２２及び第２解除制御部２４により、操作割当制御装置１００ｂの要部が構成されている。表示制御部１１、タッチ点検出部１２、ノブ判定部１６、操作入力制御部１７及び操作割当制御装置１００ｂにより、制御装置２００ｂの要部が構成されている。ノブオンディスプレイ６、制御基板７及び制御装置２００ｂにより、操作入力装置３００ｂの要部が構成されている。なお、図１７において制御基板７は図示を省略している。
【００９５】
制御装置２００ｂの要部のハードウェア構成は、実施の形態１にて図９を参照して説明したものと同様であるため、図示及び説明を省略する。すなわち、表示制御部１１、タッチ点検出部１２、ノブ判定部１６、操作入力制御部１７、割当制御部２１、追従制御部２２及び第２解除制御部２４の各々の機能は、プロセッサ３１及びメモリ３２により実現されるものであっても良く、又は処理回路３３により実現されるものであっても良い。
【００９６】
図２０のフローチャートは、第２解除制御部２４の動作を示している。図２０に示す如く、第２解除制御部２４は、表示領域Ａ内にノブ３が配置されており（ステップＳＴ３１“ＹＥＳ”）、かつ、ノブ３に操作項目が割り当てられている状態にて（ステップＳＴ３２“ＹＥＳ”）、ノブ３による解除用操作の入力がなされたとき（ステップＳＴ３３“ＹＥＳ”）、ノブ３に対する操作項目の割当てを解除する制御を実行する（ステップＳＴ３４）。
【００９７】
なお、解除用操作はノブ３を上下に振る操作又はノブを左右に振る操作に限定されるものではなく、如何なる操作が解除用操作に設定されているものであっても良い。例えば、タッチパネル２に対してノブ３を押下する操作が解除用操作に設定されているものであっても良い。
【００９８】
また、操作割当制御装置１００ｂは、実施の形態１にて説明したものと同様の種々の変形例を採用することができる。例えば、割当制御部２１は、制御装置２００ｂ内にて操作割当制御装置１００ｂ外に設けられているものであっても良い。また、例えば、表示制御部１１は、操作割当制御装置１００ｂ内に設けられているものであっても良い。
【００９９】
また、操作割当制御装置１００ｂは、実施の形態２にて説明したものと同様の第１解除制御部２３を有するものであっても良い。
【０１００】
以上のように、実施の形態３の操作割当制御装置１００ｂは、表示領域Ａ内にノブ３が配置されており、かつ、ノブ３に操作項目が割り当てられている状態にて、ノブ３による解除用操作の入力がなされたとき、ノブ３に対する操作項目の割当てを解除する制御を実行する第２解除制御部２４を備える。これにより、ユーザは任意のタイミングにてノブ３に対する操作項目の割当てを解除することができる。
【０１０１】
実施の形態４．
図２１は、実施の形態４に係る操作入力装置の要部を示すブロック図である。図２１を参照して、実施の形態４の操作入力装置３００ｃについて説明する。なお、図２１において、図２におけるブロックと同様のブロックには同一符号を付して説明を省略する。
【０１０２】
実施の形態１にて説明したとおり、ノブ３に対する操作項目の割当ては、所定の解除条件が満たされるまで維持されるようになっている。具体的には、例えば、ノブ３に対する操作項目の割当ては、ノブ３がディスプレイ１から取り外されるまで維持される。
【０１０３】
このとき、維持制御部２５は、ノブ３に割り当てられている操作項目と異なる他の操作項目（以下、単に「他の操作項目」という。）に対応する操作用画像にノブ３が重畳されている状態になったとしても、ノブ３に対する操作項目の割当てを維持する制御を実行するものである。すなわち、維持制御部２５は、表示領域Ａ内にノブ３が配置されており、かつ、ノブ３に操作項目が割り当てられている状態にて、他の操作項目に対応する操作用画像にノブ３が重畳している状態になったとき、ノブ３に対する操作項目の割当てを維持する制御を実行するものである。
【０１０４】
例えば、図２２Ａに示す如く、表示領域Ａ内にノブ３が配置されており、かつ、ノブ３に操作項目Ｉ１’が割り当てられている。これに対して、図２２Ｂに示す如く、ユーザがノブ３を移動させることにより、他の操作項目Ｉ２’に対応する操作用画像Ｉ２にノブ３が重畳している状態になったものとする。維持制御部２５は、このような場合であっても、ノブ３に対する操作項目Ｉ１’の割当てを維持するものである。図中、Ｌ２は、表示領域Ａにおけるノブ３の中心部に対応する点の軌跡を示している。また、Ｌ２は、表示領域Ａにおける操作用画像Ｉ１の中心部に対応する点の軌跡を示している。
【０１０５】
さらに、図２２Ｃに示す如く、ユーザがノブ３を移動させることにより、他の操作項目Ｉ３’に対応する操作用画像Ｉ３にノブ３が重畳している状態になったものとする。維持制御部２５は、このような場合であっても、ノブ３に対する操作項目Ｉ１’の割当てを維持するものである。図中、Ｌ３は、表示領域Ａにおけるノブ３の中心部に対応する点の軌跡を示している。また、Ｌ３は、表示領域Ａにおける操作用画像Ｉ１の中心部に対応する点の軌跡を示している。
【０１０６】
これにより、ノブ３の配置位置にかかわらず（すなわち他の操作項目Ｉ２’，Ｉ３’に対応する操作用画像Ｉ２，Ｉ３に対するノブ３の重畳の有無にかかわらず）、ノブ３に割り当てられている操作項目Ｉ１’に係る操作入力を継続することができる。
【０１０７】
割当制御部２１、追従制御部２２及び維持制御部２５により、操作割当制御装置１００ｃの要部が構成されている。表示制御部１１、タッチ点検出部１２、ノブ判定部１６、操作入力制御部１７及び操作割当制御装置１００ｃにより、制御装置２００ｃの要部が構成されている。ノブオンディスプレイ６、制御基板７及び制御装置２００ｃにより、操作入力装置３００ｃの要部が構成されている。なお、図２１において制御基板７は図示を省略している。
【０１０８】
制御装置２００ｃの要部のハードウェア構成は、実施の形態１にて図９を参照して説明したものと同様であるため、図示及び説明を省略する。すなわち、表示制御部１１、タッチ点検出部１２、ノブ判定部１６、操作入力制御部１７、割当制御部２１、追従制御部２２及び維持制御部２５の各々の機能は、プロセッサ３１及びメモリ３２により実現されるものであっても良く、又は処理回路３３により実現されるものであっても良い。
【０１０９】
図２３のフローチャートは、維持制御部２５の動作を示している。図２３に示す如く、維持制御部２５は、表示領域Ａ内にノブ３が配置されており（ステップＳＴ４１“ＹＥＳ”）、かつ、ノブ３に操作項目が割り当てられている状態にて（ステップＳＴ４２“ＹＥＳ”）、他の操作項目に対応する操作用画像にノブ３が重畳している状態になったとき（ステップＳＴ４３“ＹＥＳ”）、ノブ３に対する操作項目の割当てを維持する制御を実行する（ステップＳＴ４４）。
【０１１０】
なお、仮にステップＳＴ４３の判定結果が“ＮＯ”であったとして、上記のとおりノブ３に対する操作項目の割当ては維持されるようになっている。
【０１１１】
なお、操作割当制御装置１００ｃは、実施の形態１にて説明したものと同様の種々の変形例を採用することができる。例えば、割当制御部２１は、制御装置２００ｃ内にて操作割当制御装置１００ｃ外に設けられているものであっても良い。また、例えば、表示制御部１１は、操作割当制御装置１００ｃ内に設けられているものであっても良い。
【０１１２】
また、操作割当制御装置１００ｃは、実施の形態２にて説明したものと同様の第１解除制御部２３を有するものであっても良い。また、操作割当制御装置１００ｃは、実施の形態３にて説明したものと同様の第２解除制御部２４を有するものであっても良い。
【０１１３】
以上のように、実施の形態４の操作割当制御装置１００ｃは、表示領域Ａ内にノブ３が配置されており、かつ、ノブ３に操作項目が割り当てられている状態にて、当該割り当てられている操作項目と異なる他の操作項目に対応する操作用画像にノブ３が重畳している状態になったとき、当該割り当てられている操作項目を維持する制御を実行する維持制御部２５を備える。これにより、ノブ３の配置位置にかかわらず、ノブ３に割り当てられている操作項目に係る操作入力を継続することができる。
【０１１４】
実施の形態５．
図２４は、実施の形態５に係る操作入力装置の要部を示すブロック図である。図２４を参照して、実施の形態５の操作入力装置３００ｄについて説明する。なお、図２４において、図２におけるブロックと同様のブロックには同一符号を付して説明を省略する。
【０１１５】
図２４に示す如く、操作入力装置３００ｄは車両８に設けられている。具体的には、例えば、操作入力装置３００ｄは、車両８のセンタークラスターに設けられている。
【０１１６】
車両８は、運転者監視システム９を有している。運転者監視システム９は、車室内撮像用のカメラ（不図示）による撮像画像に対する画像認識処理を実行することにより、車両８の運転者が運転不能状態（いわゆる「デッドマン」）であるか否かを判定するものである。また、運転者監視システム９は、当該撮像画像に対する画像認識処理を実行することにより、車両８の運転者が居眠り運転状態であるか否かを判定するものである。また、運転者監視システム９は、当該撮像画像に対する画像認識処理を実行することにより、車両８の運転者が脇見運転状態であるか否かを判定するものである。
【０１１７】
ここで、脇見運転状態とは、車両８の走行中に車両８の運転者（以下、単に「運転者」という。）の視線が車両８の進行方向と異なる方向に向けられている状態のことである。運転者監視システム９は、車両８の走行中に運転者の視線が車両８の進行方向と異なる方向に向けられている状態であると判定された場合、その旨を示す情報（以下「視線情報」という。）を出力する機能を有している。
【０１１８】
視線情報取得部１８は、運転者監視システム９により出力された視線情報を取得するものである。
【０１１９】
禁止制御部２６は、視線情報取得部１８により取得された視線情報を用いて、車両８の走行中に運転者の視線が車両８の進行方向と異なる方向に向けられている状態の継続時間、すなわち脇見運転状態の継続時間を算出するものである。禁止制御部２６は、当該算出された継続時間が所定の時間（以下「第２基準時間」という。）を超えたとき、ノブ３に対する操作項目の割当てを禁止する制御を実行するとともに、ノブ３に対する操作項目の割当ての解除を禁止する制御を実行するものである。第２基準時間は、例えば、数秒〜十数秒程度の値に設定されている。
【０１２０】
割当制御部２１、追従制御部２２及び禁止制御部２６により、操作割当制御装置１００ｄの要部が構成されている。表示制御部１１、タッチ点検出部１２、ノブ判定部１６、操作入力制御部１７、視線情報取得部１８及び操作割当制御装置１００ｄにより、制御装置２００ｄの要部が構成されている。ノブオンディスプレイ６、制御基板７及び制御装置２００ｄにより、操作入力装置３００ｄの要部が構成されている。なお、図２４において制御基板７は図示を省略している。
【０１２１】
制御装置２００ｄの要部のハードウェア構成は、実施の形態１にて図９を参照して説明したものと同様であるため、図示及び説明を省略する。すなわち、表示制御部１１、タッチ点検出部１２、ノブ判定部１６、操作入力制御部１７、視線情報取得部１８、割当制御部２１、追従制御部２２及び禁止制御部２６の各々の機能は、プロセッサ３１及びメモリ３２により実現されるものであっても良く、又は処理回路３３により実現されるものであっても良い。
【０１２２】
図２５のフローチャートは、禁止制御部２６の動作を示している。図２５に示す如く、禁止制御部２６は、脇見運転状態の継続時間が第２基準時間を超えたとき（ステップＳＴ５１“ＹＥＳ”）、ノブ３に対する操作項目の割当てを禁止する制御を実行するとともに、ノブ３に対する操作項目の割当ての解除を禁止する制御を実行する（ステップＳＴ５２）。
【０１２３】
なお、禁止制御部２６は、ノブ３に対する操作項目の割当てを禁止する制御又はノブ３に対する操作項目の割当ての解除を禁止する制御のうちのいずれか一方のみを実行するものであっても良い。
【０１２４】
また、操作割当制御装置１００ｄは、実施の形態１にて説明したものと同様の種々の変形例を採用することができる。例えば、割当制御部２１は、制御装置２００ｄ内にて操作割当制御装置１００ｄ外に設けられているものであっても良い。また、例えば、表示制御部１１は、操作割当制御装置１００ｄ内に設けられているものであっても良い。
【０１２５】
また、操作割当制御装置１００ｄは、実施の形態２にて説明したものと同様の第１解除制御部２３を有するものであっても良い。また、操作割当制御装置１００ｄは、実施の形態３にて説明したものと同様の第２解除制御部２４を有するものであっても良い。また、操作割当制御装置１００ｄは、実施の形態４にて説明したものと同様の維持制御部２５を有するものであっても良い。
【０１２６】
以上のように、実施の形態５において、ノブオンディスプレイ６は車載用であり、操作割当制御装置１００ｄは、車両８の走行中に運転者の視線が車両８の進行方向と異なる方向に向けられている状態（脇見運転状態）の継続時間が第２基準時間を超えたとき、ノブ３に対する操作項目の割当てを禁止する制御を実行する禁止制御部２６を備える。これにより、車両８の走行中、ノブ３に対する操作項目の割当てを変更するために脇見運転がなされるのを抑制することができる。
【０１２７】
実施の形態６．
図２６は、実施の形態６に係る操作入力装置の要部を示すブロック図である。図２６を参照して、実施の形態６の操作入力装置３００ｅについて説明する。なお、図２６において、図２におけるブロックと同様のブロックには同一符号を付して説明を省略する。また、図２６において、図２４に示すブロックと同様のブロックには同一符号を付して説明を省略する。
【０１２８】
非表示制御部２７は、視線情報取得部１８により取得された視線情報を用いて、車両８の走行中に運転者の視線が車両８の進行方向と異なる方向に向けられている状態の継続時間、すなわち脇見運転状態の継続時間を算出するものである。非表示制御部２７は、当該算出された継続時間が所定の時間（以下「第３基準時間」という。）を超えたとき、ディスプレイ１における全ての操作用画像を非表示にする制御を実行するものである。すなわち、非表示制御部２７は、ディスプレイ１における全ての操作用画像を非表示にするように表示制御部１１に指示するものである。第３基準時間は、例えば、数秒〜十数秒程度の値に設定されている
【０１２９】
全ての操作用画像が非表示になることにより、操作入力制御部１７において全ての操作項目に係る操作が無効化された状態となる。これにより、車両８の走行中、ノブ３を操作するために脇見運転がなされるのを抑制することができる。また、全ての操作用画像が非表示になることにより、割当制御部２１による操作項目の割当ても実質無効化された状態となる。これにより、車両８の走行中、ノブ３に対する操作項目の割当てを変更するために脇見運転がなされるのを抑制することができる。
【０１３０】
割当制御部２１、追従制御部２２及び非表示制御部２７により、操作割当制御装置１００ｅの要部が構成されている。表示制御部１１、タッチ点検出部１２、ノブ判定部１６、操作入力制御部１７、視線情報取得部１８及び操作割当制御装置１００ｅにより、制御装置２００ｅの要部が構成されている。ノブオンディスプレイ６、制御基板７及び制御装置２００ｅにより、操作入力装置３００ｅの要部が構成されている。なお、図２６において制御基板７は図示を省略している。
【０１３１】
制御装置２００ｅの要部のハードウェア構成は、実施の形態１にて図９を参照して説明したものと同様であるため、図示及び説明を省略する。すなわち、表示制御部１１、タッチ点検出部１２、ノブ判定部１６、操作入力制御部１７、視線情報取得部１８、割当制御部２１、追従制御部２２及び非表示制御部２７の各々の機能は、プロセッサ３１及びメモリ３２により実現されるものであっても良く、又は処理回路３３により実現されるものであっても良い。
【０１３２】
図２７のフローチャートは、非表示制御部２７の動作を示している。図２７に示す如く、非表示制御部２７は、脇見運転状態の継続時間が第３基準時間を超えたとき（ステップＳＴ６１“ＹＥＳ”）、ディスプレイ１における全ての操作用画像を非表示にする制御を実行する（ステップＳＴ６２）。
【０１３３】
なお、非表示制御部２７は、脇見運転状態の継続時間が第３基準時間を超えたとき、一部の操作用画像のみを非表示にするものであっても良い。例えば、非表示制御部２７は、ノブ３に割り当てられている操作項目に対応する操作用画像のみを非表示にするものであっても良い。
【０１３４】
また、操作割当制御装置１００ｅは、実施の形態１にて説明したものと同様の種々の変形例を採用することができる。例えば、割当制御部２１は、制御装置２００ｅ内にて操作割当制御装置１００ｅ外に設けられているものであっても良い。また、例えば、表示制御部１１は、操作割当制御装置１００ｅ内に設けられているものであっても良い。
【０１３５】
また、操作割当制御装置１００ｅは、実施の形態２にて説明したものと同様の第１解除制御部２３を有するものであっても良い。また、操作割当制御装置１００ｅは、実施の形態３にて説明したものと同様の第２解除制御部２４を有するものであっても良い。また、操作割当制御装置１００ｅは、実施の形態４にて説明したものと同様の維持制御部２５を有するものであっても良い。また、操作割当制御装置１００ｅは、実施の形態５にて説明したものと同様の禁止制御部２６を有するものであっても良い。
【０１３６】
また、操作割当制御装置１００ｅが禁止制御部２６を有するものである場合、非表示制御部２７における第３基準時間は、禁止制御部２６における第２基準時間と同等の値に設定されているものであっても良く、又は異なる値に設定されているものであっても良い。
【０１３７】
以上のように、実施の形態６において、ノブオンディスプレイ６は車載用であり、車両８の走行中に運転者の視線が車両８の進行方向と異なる方向に向けられている状態（脇見運転状態）の継続時間が第３基準時間を超えたとき、ディスプレイ１における操作用画像を非表示にする制御を実行する非表示制御部２７を備える。これにより、車両８の走行中、ノブ３を操作するために脇見運転がなされるのを抑制することができる。また、車両８の走行中、ノブ３に対する操作項目の割当てを変更するために脇見運転がなされるのを抑制することができる。
【０１３８】
実施の形態７．
図２８は、実施の形態７に係る操作入力装置の要部を示すブロック図である。図２８を参照して、実施の形態７の操作入力装置３００ｆについて説明する。なお、図２８において、図２におけるブロックと同様のブロックには同一符号を付して説明を省略する。また、図２８において、図２４に示すブロックと同様のブロックには同一符号を付して説明を省略する。
【０１３９】
無効化制御部２８は、視線情報取得部１８により取得された視線情報を用いて、車両８の走行中に運転者の視線が車両８の進行方向と異なる方向に向けられている状態の継続時間、すなわち脇見運転状態の継続時間を算出するものである。無効化制御部２８は、当該算出された継続時間が所定の時間（以下「第４基準時間」という。）を超えたとき、ノブ３による全ての操作項目に係る操作入力を無効化する制御を実行するものである。すなわち、無効化制御部２８は、ノブ３による全ての操作項目に係る操作入力を無効化するように操作入力制御部１７に指示するものである。第４基準時間は、例えば、数秒〜十数秒程度の値に設定されている。
【０１４０】
割当制御部２１、追従制御部２２及び無効化制御部２８により、操作割当制御装置１００ｆの要部が構成されている。表示制御部１１、タッチ点検出部１２、ノブ判定部１６、操作入力制御部１７、視線情報取得部１８及び操作割当制御装置１００ｆにより、制御装置２００ｆの要部が構成されている。ノブオンディスプレイ６、制御基板７及び制御装置２００ｆにより、操作入力装置３００ｆの要部が構成されている。なお、図２８において制御基板７は図示を省略している。
【０１４１】
制御装置２００ｆの要部のハードウェア構成は、実施の形態１にて図９を参照して説明したものと同様であるため、図示及び説明を省略する。すなわち、表示制御部１１、タッチ点検出部１２、ノブ判定部１６、操作入力制御部１７、視線情報取得部１８、割当制御部２１、追従制御部２２及び無効化制御部２８の各々の機能は、プロセッサ３１及びメモリ３２により実現されるものであっても良く、又は処理回路３３により実現されるものであっても良い。
【０１４２】
図２９のフローチャートは、無効化制御部２８の動作を示している。図２９に示す如く、無効化制御部２８は、脇見運転状態の継続時間が第４基準時間を超えたとき（ステップＳＴ７１“ＹＥＳ”）、ノブ３による全ての操作項目に係る操作入力を無効化する制御を実行する（ステップＳＴ７２）。
【０１４３】
なお、無効化制御部２８は、脇見運転状態の継続時間が第４基準時間を超えたとき、一部の操作項目に係る操作入力のみを無効化するものであっても良い。例えば、無効化制御部２８は、ノブ３に割り当てられている操作項目に係る操作入力のみを無効化するものであっても良い。
【０１４４】
また、操作割当制御装置１００ｆは、実施の形態１にて説明したものと同様の種々の変形例を採用することができる。例えば、割当制御部２１は、制御装置２００ｆ内にて操作割当制御装置１００ｆ外に設けられているものであっても良い。また、例えば、表示制御部１１は、操作割当制御装置１００ｆ内に設けられているものであっても良い。
【０１４５】
また、操作割当制御装置１００ｆは、実施の形態２にて説明したものと同様の第１解除制御部２３を有するものであっても良い。また、操作割当制御装置１００ｆは、実施の形態３にて説明したものと同様の第２解除制御部２４を有するものであっても良い。また、操作割当制御装置１００ｆは、実施の形態４にて説明したものと同様の維持制御部２５を有するものであっても良い。また、操作割当制御装置１００ｆは、実施の形態５にて説明したものと同様の禁止制御部２６を有するものであっても良い。また、操作割当制御装置１００ｆは、実施の形態６にて説明したものと同様の非表示制御部２７を有するものであっても良い。
【０１４６】
また、操作割当制御装置１００ｆが禁止制御部２６を有するものである場合、無効化制御部２８における第４基準時間は、禁止制御部２６における第２基準時間と同等の値に設定されているものであっても良く、又は異なる値に設定されているものであっても良い。
【０１４７】
また、操作割当制御装置１００ｆが非表示制御部２７を有するものである場合、無効化制御部２８における第４基準時間は、非表示制御部２７における第３基準時間と同等の値に設定されているものであっても良く、又は異なる値に設定されているものであっても良い。
【０１４８】
以上のように、実施の形態７において、ノブオンディスプレイ６は車載用であり、車両８の走行中に運転者の視線が車両８の進行方向と異なる方向に向けられている状態（脇見運転状態）の継続時間が第４基準時間を超えたとき、ノブ３による操作入力を無効化する制御を実行する無効化制御部２８を備える。これにより、車両８の走行中、ノブ３を操作するために脇見運転がなされるのを抑制することができる。
【０１４９】
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【０１５０】
本発明の操作割当制御装置、操作割当制御方法及び操作入力装置は、例えば、車載情報機器に用いることができる。
【符号の説明】
【０１５１】
１  ディスプレイ、２  タッチパネル、３  ノブ、４  中空部、５１〜５３  導体柱、６  ノブオンディスプレイ、７  制御基板、８  車両、９  運転者監視システム、１１  表示制御部、１２  タッチ点検出部、１３  ノブ有無判定部、１４  ノブ位置判定部、１５  ノブ動作判定部、１６  ノブ判定部、１７  操作入力制御部、１８  視線情報取得部、２１  割当制御部、２２  追従制御部、２３  第１解除制御部、２４  第２解除制御部、２５  維持制御部、２６  禁止制御部、２７  非表示制御部、２８  無効化制御部、３１  プロセッサ、３２  メモリ、３３  処理回路、１００，１００ａ，１００ｂ，１００ｃ，１００ｄ，１００ｅ，１００ｆ  操作割当制御装置、２００，２００ａ，２００ｂ，２００ｃ，２００ｄ，２００ｅ，２００ｆ  制御装置、３００，３００ａ，３００ｂ，３００ｃ，３００ｄ，３００ｅ，３００ｆ  操作入力装置。
【図１】
2019180774.tif 000003
【図２】
2019180774.tif 000004
【図３】
2019180774.tif 000005
【図４】
2019180774.tif 000006
【図５】
2019180774.tif 000007
【図６】
2019180774.tif 000008
【図７】
2019180774.tif 000009
【図８】
2019180774.tif 000010
【図９】
2019180774.tif 000011
【図１０】
2019180774.tif 000012
【図１１】
2019180774.tif 000013
【図１２】
2019180774.tif 000014
【図１３】
2019180774.tif 000015
【図１４】
2019180774.tif 000016
【図１５】
2019180774.tif 000017
【図１６】
2019180774.tif 000018
【図１７】
2019180774.tif 000019
【図１８】
2019180774.tif 000020
【図１９】
2019180774.tif 000021
【図２０】
2019180774.tif 000022
【図２１】
2019180774.tif 000023
【図２２】
2019180774.tif 000024
【図２３】
2019180774.tif 000025
【図２４】
2019180774.tif 000026
【図２５】
2019180774.tif 000027
【図２６】
2019180774.tif 000028
【図２７】
2019180774.tif 000029
【図２８】
2019180774.tif 000030
【図２９】
2019180774.tif 000031
【手続補正書】
【提出日】令和2年2月25日(2020.2.25)
【手続補正１】
【補正対象書類名】明細書
【補正対象項目名】０００６
【補正方法】変更
【補正の内容】
【０００６】
本発明の操作割当制御装置は、ノブオンディスプレイ用のディスプレイの表示領域内にノブオンディスプレイ用のノブが配置されたとき、ノブに操作項目が割り当てられていない状態である場合、ノブに操作項目を割り当てる制御を実行する割当制御部と、ノブオンディスプレイ用のディスプレイの表示領域内にノブオンディスプレイ用のノブが配置されており、かつ、ノブに操作項目が割り当てられている状態にて、当該割り当てられている操作項目に対応する操作用画像の表示位置をノブの配置位置に追従させる制御を実行する追従制御部を備えるものである。
【手続補正２】
【補正対象書類名】特許請求の範囲
【補正対象項目名】全文
【補正方法】変更
【補正の内容】
【特許請求の範囲】
【請求項１】
ノブオンディスプレイ用のディスプレイの表示領域内に前記ノブオンディスプレイ用のノブが配置されたとき、前記ノブに操作項目が割り当てられていない状態である場合、前記ノブに操作項目を割り当てる制御を実行する割当制御部と、
前記ノブオンディスプレイ用のディスプレイの表示領域内に前記ノブオンディスプレイ用のノブが配置されており、かつ、前記ノブに操作項目が割り当てられている状態にて、当該割り当てられている操作項目に対応する操作用画像の表示位置を前記ノブの配置位置に追従させる制御を実行する追従制御部を備えることを特徴とする操作割当制御装置。
【請求項２】
前記割当制御部は、前記表示領域内に１個の操作用画像が表示されている状態にて、当該１個の操作用画像に重畳するように前記ノブが配置されたとき、当該１個の操作用画像に対応する操作項目を前記ノブに割り当てることを特徴とする請求項１記載の操作割当制御装置。
【請求項３】
前記割当制御部は、前記表示領域内に１個の操作用画像が表示されている状態にて、当該１個の操作用画像に重畳しないように前記ノブが配置されたとき、当該１個の操作用画像に対応する操作項目を前記ノブに割り当てることを特徴とする請求項１記載の操作割当制御装置。
【請求項４】
前記割当制御部は、前記表示領域内に複数個の操作用画像が表示されている状態にて、当該複数個の操作用画像のうちのいずれか１個の操作用画像に重畳するように前記ノブが配置されたとき、当該いずれか１個の操作用画像に対応する操作項目を前記ノブに割り当てることを特徴とする請求項１記載の操作割当制御装置。
【請求項５】
前記割当制御部は、前記表示領域内に複数個の操作用画像が表示されている状態にて、当該複数個の操作用画像のうちのいずれか２個以上の操作用画像に重畳するように前記ノブが配置されたとき、当該いずれか２個以上の操作用画像が前記ノブに最後に割り当てられていた操作項目に対応する操作用画像を含むものである場合、前記ノブに最後に割り当てられていた操作項目と同一の操作項目を前記ノブに割り当てることを特徴とする請求項１記載の操作割当制御装置。
【請求項６】
前記割当制御部は、前記表示領域内に複数個の操作用画像が表示されている状態にて、当該複数個の操作用画像のうちのいずれか２個以上の操作用画像に重畳するように前記ノブが配置されたとき、当該いずれか２個以上の操作用画像が前記ノブに最後に割り当てられていた操作項目に対応する操作用画像を含まないものである場合、当該いずれか２個以上の操作用画像のうちの前記ノブに対する重畳面積が最も大きい操作用画像に対応する操作項目を前記ノブに割り当てることを特徴とする請求項１記載の操作割当制御装置。
【請求項７】
前記割当制御部は、前記表示領域内に複数個の操作用画像が表示されている状態にて、当該複数個の操作用画像のうちのいずれの操作用画像にも重畳しないように前記ノブが配置されたとき、前記ノブに最後に割り当てられていた操作項目と同一の操作項目を前記ノブに割り当てることを特徴とする請求項１記載の操作割当制御装置。
【請求項８】
前記表示領域内に前記ノブが配置されており、かつ、前記ノブに操作項目が割り当てられている状態にて、前記ノブによる操作入力がない状態の継続時間が第１基準時間を超えたとき、前記ノブに対する操作項目の割当てを解除する制御を実行する第１解除制御部を備えることを特徴とする請求項１記載の操作割当制御装置。
【請求項９】
前記表示領域内に前記ノブが配置されており、かつ、前記ノブに操作項目が割り当てられている状態にて、前記ノブによる解除用操作の入力がなされたとき、前記ノブに対する操作項目の割当てを解除する制御を実行する第２解除制御部を備えることを特徴とする請求項１記載の操作割当制御装置。
【請求項１０】
前記表示領域内に前記ノブが配置されており、かつ、前記ノブに操作項目が割り当てられている状態にて、当該割り当てられている操作項目と異なる他の操作項目に対応する操作用画像に前記ノブが重畳している状態になったとき、前記ノブに対する操作項目の割当てを維持する制御を実行する維持制御部を備えることを特徴とする請求項１記載の操作割当制御装置。
【請求項１１】
前記ノブは中空部を有し、前記表示領域内に前記ノブが配置されており、かつ、前記ノブに操作項目が割り当てられている状態にて、当該割り当てられている操作項目に対応する操作用画像が前記中空部にて視認可能な態様により前記ディスプレイに表示させる制御を実行する表示制御部を備えることを特徴とする請求項１記載の操作割当制御装置。
【請求項１２】
前記ノブオンディスプレイは車載用であり、車両の走行中に運転者の視線が前記車両の進行方向と異なる方向に向けられている状態の継続時間が第２基準時間を超えたとき、前記ノブに対する操作項目の割当てを禁止する制御を実行する禁止制御部を備える
ことを特徴とする請求項１記載の操作割当制御装置。
【請求項１３】
前記ノブオンディスプレイは車載用であり、車両の走行中に運転者の視線が前記車両の進行方向と異なる方向に向けられている状態の継続時間が第３基準時間を超えたとき、前記ディスプレイにおける操作用画像を非表示にする制御を実行する非表示制御部を備える
ことを特徴とする請求項１記載の操作割当制御装置。
【請求項１４】
前記ノブオンディスプレイは車載用であり、
車両の走行中に運転者の視線が前記車両の進行方向と異なる方向に向けられている状態の継続時間が第４基準時間を超えたとき、前記ノブによる操作入力を無効化する制御を実行する無効化制御部を備えることを特徴とする請求項１記載の操作割当制御装置。
【請求項１５】
前記ノブは円筒状であり、
前記ノブの内部に３本以上の導体柱が設けられており、
前記ノブが前記表示領域内に配置されている状態にて、前記３本以上の導体柱が前記ディスプレイと一体型のタッチパネルに対する３個以上のタッチ点として検出されるものであることを特徴とする請求項１記載の操作割当制御装置。
【請求項１６】
割当制御部が、ノブオンディスプレイ用のディスプレイの表示領域内に前記ノブオンディスプレイ用のノブが配置されたとき、前記ノブに操作項目が割り当てられていない状態である場合、前記ノブに操作項目を割り当てる制御を実行するステップと、
追従制御部が、前記ノブオンディスプレイ用のディスプレイの表示領域内に前記ノブオンディスプレイ用のノブが配置されており、かつ、前記ノブに操作項目が割り当てられている状態にて、当該割り当てられている操作項目に対応する操作用画像の表示位置を前記ノブの配置位置に追従させる制御を実行するステップを備えることを特徴とする操作割当制御方法。
【請求項１７】
ノブオンディスプレイ用のディスプレイと、
前記ノブオンディスプレイ用のノブと、
前記ディスプレイの表示領域内に前記ノブが配置されたとき、前記ノブに操作項目が割り当てられていない状態である場合、前記ノブに操作項目を割り当てる制御を実行する割当制御部と、前記ディスプレイの表示領域内に前記ノブが配置されており、かつ、前記ノブに操作項目が割り当てられている状態にて、当該割り当てられている操作項目に対応する操作用画像の表示位置を前記ノブの配置位置に追従させる制御を実行する追従制御部を備える操作割当制御装置と、
を備えることを特徴とする操作入力装置。
【国際調査報告】
2019180774.tif 000032
2019180774.tif 000033
2019180774.tif 000034
2019180774.tif 000035